(57)【要約】【課題】球詰まりの発生を防止し、球が円滑に払い出されるようにする。【解決手段】タンク２の底面６が球を矢印Ｘ１で示すように球入口１０に向けて流下させる斜面を構成し、タンク２の内部には障壁７が設けられ、障壁７の左面が球をタンク２の後壁の方から球入口１０の方に誘導する斜面８として構成され、障壁７における球入口１０の後縁と左縁後部とに繋がる部分の面が収容部１１の後面と左面とから上方に延びる鉛直面９として構成されたことによって、タンク２の球を貯蔵する球貯蔵室の前後幅が障壁７によって払出機構３の球入口１０に向けて絞られ、底面６を流下する球が多量に球入口１０に集中することがなく、底面６を流下する球の量が球入口１０に向けて徐々に減少し、払出機構３の払出モータ１５に負担がかかり過ぎることがなく、球詰まりも発生しにくく、払出機構３の払出体１４が球を円滑に払い出す。【選択図】図１
2008245886.tif 000002
【特許請求の範囲】
【請求項１】
タンクには球貯蔵室が設けられ、球貯蔵室の底部には球を球貯蔵室から収容部に落下させる球入口と球入口から下方に窪む空間を形成する収容部と球出口の側に位置して球入口を塞ぐ庇とが設けられ、球貯蔵室の球と接触する底面は球貯蔵室に取り込まれた球を球入口に向けて左から右または右から左に流下させる斜面を構成し、収容部の右部または左部には球出口が設けられ、払出体は直線状の丸棒により構成された払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を左右方向に延びるように向けて収容部に回転可能に配置されたことによって、収容部の内部には収容部と払出軸と螺旋体とで囲まれて球を１個ずつ取り込む隙間が形成され、タンクの外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら球出口の方に移動させる一方、タンクの内部には球入口の後縁と左縁後部とを囲むようにまたは後縁と右縁後部を囲むように障壁が設けられ、障壁の左面または右面が左から右に行くにしたがってまたは右から左に行くにしたがって球を球入口の方に誘導する斜面として構成されたことを特徴とする遊技機の球払出装置。
【発明の詳細な説明】
【技術分野】
【０００１】
本発明は、球詰まりが発生しにくく、球が円滑に払い出される遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図９は、特許文献１で開示された球払出装置を示す。図９において、タンク２の底部には、球入口１０および収容部１１が設けられる。収容部１１の底部には、球出口１２が設けられる。収容部１１には、螺旋構造体として構成された払出体１４が収容される。タンク２の外面には、払出モータ１５が固定される。払出モータ１５の出力軸が払出体１４に連結される。タンク２の球と接触する底面６は、球を矢印Ｘ１で示すように球入口１０に向けて流下させる斜面を構成する。そして、払出体１４が払出モータ１５によって一方向に回転されると、球が矢印Ｘ７で示すようにタンク２から球入口１０と収容部１１および球出口１２を経由して払い出される。しかしながら、底面６が球を球入口１０に向けて流下させる方向と払出体１４が球を球出口１２に向けて移動させる方向とが互いに逆の向きであることから、払出体１４に負担がかかり過ぎ、球詰まりを発生しやすいという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、タンクには球貯蔵室が設けられ、球貯蔵室の底部には球を球貯蔵室から収容部に落下させる球入口と球入口から下方に窪む空間を形成する収容部と球出口の側に位置して球入口を塞ぐ庇とが設けられ、球貯蔵室の球と接触する底面は球貯蔵室に取り込まれた球を球入口に向けて左から右または右から左に流下させる斜面を構成し、収容部の右部または左部には球出口が設けられ、払出体は直線状の丸棒により構成された払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を左右方向に延びるように向けて収容部に回転可能に配置されたことによって、収容部の内部には収容部と払出軸と螺旋体とで囲まれて球を１個ずつ取り込む隙間が形成され、タンクの外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら球出口の方に移動させる一方、タンクの内部には球入口の後縁と左縁後部とを囲むようにまたは後縁と右縁後部を囲むように障壁が設けられ、障壁の左面または右面が左から右に行くにしたがってまたは右から左に行くにしたがって球を球入口の方に誘導する斜面として構成されたことを最も主要な特徴とする。
【発明の効果】
【０００５】
本発明に係る遊技機の球払出装置は、タンクの球を貯蔵する球貯蔵室の前後幅が障壁によって払出機構の球入口に向けて絞られているので、タンクの底面を流下する球が多量に球入口に集中することがなく、タンクの底面を流下する球の量が球入口に向けて徐々に減少し、払出機構の払出体を駆動する払出モータに負担がかかり過ぎることがなく、球詰まりも発生しにくく、払出体が球を円滑に払い出すことができるという利点がある。
【発明を実施するための最良の形態】
【０００６】
図１乃至図８は、発明を実施するための最良の形態である。図１のａ図は、球払出装置１の要部の平面を示す。図１のｂ図は、図１のａ図をＡ−Ａ線で切断した断面を示す。図２は、球払出装置１の平面を示す。図３のａ図は、収容部１１の平面を示す。図３のｂ図は、図３のａ図をＢ−Ｂ線で切断した断面を示す。図３のｃ図は、図３のａ図をＣ−Ｃ線で切断した断面を示す。図４は球払出装置１の配線構造を分解して示す。図５は、タンク２および蓋４９を分解して示す。図６は、抜取機構４を分解して示す。図７のａ図は、抜取扉５６が抜取口部５５を閉鎖した断面を示す。図７のｂ図は、抜取扉５６が抜取口部５５を開放した断面を示す。図８は、パチンコ遊技機を示す。本明細書において、「前」、「後」、「左」、「右」、「上」、「下」の方向は、図８の状態に遊技機枠７１を置いて矢印Ｓで示す前側から見た場合に特定される方向である。
【０００７】
図２を参照し、遊技機の球払出装置１について説明する。球払出装置１は、タンク２、払出機構３、抜取機構４、球切検出機構５などを備える。そして、タンク２が遊技機枠７１に取り付けられ、抜取機構４が人為的な閉操作でタンク２の底部を閉鎖し、払出機構３が停止した状態において、遊技機枠７１の設置された図外の遊技機設置構造体の補給機構から排出されたパチンコ球と呼ばれる球がタンク２に上方から貯蔵される。タンク２に貯蔵された球の貯蔵量が例えば球切れよりも多くなると、球切検出機構５が球切信号を図外の払出発射制御装置に出力しなくなり、払出発射制御装置が球の払出を停止するような払出中断処理を実行せずかつ遊技店の営業を管理する図外のホールコンピュータに何の信号も出力しない。
【０００８】
球がタンク２に貯蔵された状態において、払出機構３が駆動すると、球がタンク２から下方外部に払い出される。そして、タンク２における球の貯蔵量が例えば球切れ以下に減少すると、球切検出機構５が球の貯蔵量が減少した信号としての例えば球切信号を払出発射制御装置に出力し、払出発射制御装置が球の払出を停止するような払出中断処理を実行しかつホールコンピュータに球切信号を出力し、ホールコンピュータが補給機構を制御し、補給機構が例えば５００個などの規定数の球をタンク２に供給する。また、球がタンク２に貯蔵され、ホールコンピュータが球の補給に対する管理を停止した状態において、抜取機構４が人による開操作でタンク２の底部を開放すると、球がタンク２から下方外部に抜き取られる。よって、球をタンク２から抜き取る場合、電気を使用することなく、取り扱いが容易であるという利点がある。
【０００９】
図１を参照し、タンク２および払出機構３について説明する。図１のａ図に示すように、タンク２は、上方に開口した箱形の球貯蔵室を内部に構成する。タンク２の球貯蔵室における球と接触する底面６は、球を矢印Ｘ１で示す方向たる左から右に向けて流下させるというように、球を払出機構３の球入口１０に向けて流下させる斜面を構成する。底面６の球入口１０よりも前の部分は、球を矢印Ｘ２で示す方向たる前から後に向けて流下させるというように、球を払出機構３の球入口１０に向けて流下させる斜面を構成する。
【００１０】
タンク２の内部には、障壁７が設けられる。障壁７は、球入口１０の後縁と左縁後部とを囲むよう、タンク２の底面６とタンク２の後壁およびタンク２の右壁から球貯蔵室に突出する。障壁７の左面は、左から右に行くにしたがって球をタンク２の後壁の方から球入口１０の方に誘導する斜面８として構成される。斜面８における球入口１０の端部が払出体１４と対応する位置に配置されたことによって、障壁７が収容部１１の左から収容部１１の払出体１４を境とする後部分への球の進路を塞ぎ、球が収容部１１の左から収容部１１の払出体１４を境とする後部分に入らないようになる。障壁７における球入口１０の後縁と左縁後部とに繋がる部分の面は、収容部１１の後面と左面とから上方に延びる鉛直面９として構成される。つまり、タンク２の球を貯蔵する球貯蔵室の前後幅が障壁７によって払出機構３の球入口１０に向けて絞られたので、タンク２の底面６を流下する球が多量に球入口１０に集中することがなく、タンク２の底面６を流下する球の量が球入口１０に向けて徐々に減少し、払出機構３の払出モータ１５に負担がかかり過ぎることがなく、球詰まりも発生しにくく、払出体１４が球を円滑に払い出すことができるという利点がある。障壁７の上面は、球を矢印Ｘ３で示す方向たる右から左に向けて流下させる斜面を構成する。よって、球が障壁７の上面から球入口１０に落下することなく抜取機構４の側の底面６に落下するので、払出モータ１５への負担を軽減することができるという利点がある。
【００１１】
払出機構３は、タンク２の右端部に設けられ、球入口１０、収容部１１、球出口１２、庇１３、払出体１４、払出モータ１５、筐体１６を備える。球入口１０は、タンク２の底面６に上下方向への貫通孔として設けられる。収容部１１は、球入口１０の周縁部から下方への窪みとして、タンク２の底面６から下方に突出する。球出口１２は、収容部１１の右部における底部に上下方向への貫通孔として形成される。庇１３は、球入口１０における球出口１２の側である右部を塞ぐように、タンク２の底部に設けられる。
【００１２】
払出体１４は、収容部１１に収容され、払出軸１７および螺旋体１８を備えた螺旋構造体である。払出軸１７は、左右方向に直線的に延びる丸棒により構成される。螺旋体１８は、払出軸１７の左右方向に延びる軸心と平行な方向に球を１個ずつ分離する間隔で、払出軸１７の外周面から径方向外側に螺旋形状に突出する。払出モータ１５は、筐体１６に収容される。筐体１６は、タンク２の右壁の外面に固定される。払出モータ１５の出力軸には、払出体１４が連結される。
【００１３】
そして、払出機構３が停止した場合、タンク２に貯蔵された球は、タンク２から球入口１０を経由して収容部１１と払出体１４との隙間に１個ずつ分離されて取り込まれる。その状態において、払出モータ１５が払出体１４を払出軸１７の周方向の矢印Ｗで示す一方向に回転するように駆動するのに伴い、螺旋体１８が収容部１１と払出体１４との隙間に１個ずつ分離されて取り込まれた球を１個ずつ分離しつつ図１のａ図に矢印Ｘ４で示すように左から右の方に移動する。右の方に移動した球は、払出体１４の駆動に伴い、庇１３の下に潜り込んで球出口１２から下方に払い出される。
【００１４】
払出体１４が矢印Ｗで示す方向に回転するように駆動された場合、収容部１１の払出体１４を境とする前部分は、払出体１４が球を収容部１１から上方に押し出す、押出側として構成され（以下、収容部１１の押出側部分と称する）、収容部１１の払出体１４を境とする後部分は、払出体１４が球を球入口１０から下方に引き込む、引込側として構成される（以下、収容部１１の引込側部分と称する）。つまり、収容部１１の押出側部分では、球が矢印Ｗで示す方向に駆動された払出体１４によってタンク２から収容部１１に引き込まれにくい。収容部１１の引込側部分では、球が矢印Ｗで示す方向に駆動された払出体１４によってタンク２から収容部１１に引き込まれやすい。そして、底面６の球入口１０よりも前の部分が矢印Ｘ２で示すように前から後に下り勾配となる斜面を構成しているので、球が底面６の球入口１０よりも前の部分から球切検出機構５の側に行くことなく収容部１１の押出側部分に誘導され、収容部１１の押出側部分の引き込まれにくさを補い、収容部１１の押出側部分に球が適切に取り込まれるという利点がある。
【００１５】
抜取機構４の抜取口部５５が底面６の球入口１０よりも球の流れる方向の上流側に位置しかつ障壁７の斜面８よりも前で斜面８と対向する位置に設けられ、球切検出機構５の感知レバー２０が抜取口部５５よりも前で抜取口部５５における球入口１０の側の部分と対向する位置に設けられているので、タンク２の底面６を流下する球が多量に球入口１０に集中することがなく、抜取機構４が開放された場合、斜面８と感知レバー２０とによる障壁作用によって、タンク２から球が容易に抜き取られるという利点がある。
【００１６】
図１のｂ図に示すように、球切検出機構５のレバー検出器１９に電力が供給され、球からの力が球切検出機構５の感知レバー２０に作用していない場合、感知レバー２０が錘２１の重さによって軸２２を中心として後側上方に回転してタンク２の前壁から後側に離れる。感知レバー２０がタンク２の前壁から後側に離れた場合、感知レバー２０の下端部と斜面８との間の前後方向の最小の隙間Ｌ１は、１個の球が通過可能であるものの２個の球が前後方向に並んで通過不可能である寸法になる。しかも、感知レバー２０に設けられた被検出部２３がレバー検出器１９の検出光Ｌから後側に離れる方向に移動する。これによって、レバー検出器１９は球の貯蔵量が球切れ以下に減少した信号としての例えば球切信号を図外の払出発射制御装置に出力する。
【００１７】
タンク２に供給された球から錘２１の重さよりも大きい力が感知レバー２０に上から下向きに作用した場合、感知レバー２０が軸２２を中心として図１のｂ図に矢印Ｘ５で示すように前側下方に回転する。感知レバー２０が前側下方に回転した場合、感知レバー２０がタンク２の前壁に接触し、被検出部２３がレバー検出器１９の検出光Ｌを遮断する。これによって、タンク２の球の貯蔵量が例えば球切れよりも多い状態であり、レバー検出器１９が球切信号を払出発射制御装置に出力しない。
【００１８】
図３を参照し、収容部１１の内部構造について説明する。図３のａ図において、収容部１１の押出側部分には、障害突起２５が設けられる。収容部１１の引込側部分には、障害突起２６が、払出体１４による球を１個ずつ分離する機能を阻害するものとして設けられる。
【００１９】
図３のｂ図にも示すように、障害突起２５は、収容部１１の左壁から右側に延びて、払出体１４による球を１個ずつ分離する機能を阻害する壁を構成する。障害突起２５と庇１３との間の隙間Ｌ２は、払出体１４に複数の球Ｐを払出体１４による球の矢印Ｘ４で示す搬送方向に１ずつ分離しつつ取り込むことが可能な寸法に構成される。つまり、障害突起２５と庇１３との間の隙間Ｌ２には、複数の球が同時に入ることが可能であるので、タンク２から収容部１１の球の取り込まれにくい押出側部分では、球が適切に取り込まれるという利点がある。障害突起２５の上面は、払出体１４による球の矢印Ｘ４で示す搬送方向の上流側から下流側の方向に行くにしたがって下り勾配となる斜面として形成されているので、球がタンク２から障害突起２５を経由して収容部１１に適切に取り込まれるという利点がある。
【００２０】
図３のｃ図にも示すように、障害突起２６は、収容部１１の左壁から右側に延びて、払出体１４による球を１個ずつ分離する機能を阻害する壁を構成する。障害突起２６と庇１３との間の隙間Ｌ３は、払出体１４に１個の球Ｐを１ずつ分離しつつ取り込むことが可能な寸法であるものの、払出体１４に複数の球Ｐを払出体１４による球の矢印Ｘ４で示す搬送方向に１ずつ分離しつつ取り込むことが不可能な寸法に構成される。つまり、障害突起２６と庇１３との間の隙間Ｌ３には、１個の球だけが入ることが可能であり、複数の球が同時に入ることが不可能であるので、タンク２から収容部１１の球の取り込まれやすい引込側部分では、球が適切に取り込まれるとともに払出モータ１５に加わる負担を軽減することができるという利点がある。障害突起２６の上面は、払出体１４による球の矢印Ｘ４で示す搬送方向の上流側から下流側の方向に行くにしたがって下り勾配となる斜面として形成されているので、球がタンク２から障害突起２６を経由して収容部１１に適切に取り込まれるという利点がある。
【００２１】
図４を参照し、球払出装置１の配線構造について説明する。払出機構３を取り付けるために、タンク２には、タンク側取付部２８、払出挿入孔２９、センサ挿入孔３０が設けられる。そして、払出機構３の軸受３１が払出体１４の端部に装着され、払出体１４がタンク２の右から払出挿入孔２９を経由して収容部１１に挿入され、軸受３１が収容部１１の左壁に形成された孔に装着される。その後、タッピングスクリューなどの止ねじ３２が筐体１６の後から筐体側取付部３３を経由してタンク側取付部２８に締結される。よって、人が止ねじ３２を取り外し、当該人が筐体１６を支持してタンク２から右に移動すると、払出体１４が収容部１１から外に引き抜けるので、収容部１１の内部から球や異物を除去する保守作業が容易であるという利点がある。
【００２２】
払出機構３から払い出される球を検出するための球検出器３４は、タンク２の左からセンサ挿入孔３０に挿入される。球検出器３４の球を検出する部分は、センサ挿入孔３０から右に突出して筐体１６の内部に挿入される。その後、球検出器３４の脱落を防止する図外のカバーがタンク２または筐体１６に取り付けられる。球検出器３４がタンク２に取り付けられた場合、球出口１２（図３参照）から排出された球が球検出器３４の内部を通過する。球検出器３４は、払出発射制御装置から電力が供給された状態において、通過する球を検出するごとに、球検出信号を払出発射制御装置に出力する。
【００２３】
球払出装置１の配線構造のために、タンク２の前部には、基板収容部３６が上方に開口した箱形の部屋として設けられる。基板収容部３６の左右側壁には、配線孔３７；３８が上方に開口した窪みとして設けられる。基板収容部３６の底部には、中継基板３９が取り付けられる。中継基板３９は、球払出装置１に関係する電気部品の全ての配線を集中的に接続するものであって、プリント配線板のような回路基板に、複数のコネクタ４０；４１；４２；４３；４４を実装した構造である。コネクタ４０乃至４４は、中継基板３９に付設されたプリント配線のような薄状の配線で、電気回路を構成するように相互に接続される。
【００２４】
コネクタ４０には、払出機構３の配線４５が接続される。配線４５は、払出モータ１５への動力線および払出モータ１５の位置を検出する図外の位置検出器への信号線などから構成される。コネクタ４１には、球検出器３４の配線４６が接続される。コネクタ４２には、球切検出機構５の配線４７が接続される。コネクタ４３には、遊技機枠７１の扉開放センサの図外の配線が接続される。コネクタ４４には、発射払出制御装置の図外の配線が接続される。配線４５乃至４７は、配線孔３８を経由して基板収容部３６の内外に貫通される。このように、球払出装置１に必要な配線４５乃至４７がタンク２の前に集約されるという利点がある。
【００２５】
図５を参照し、基板収容部３６に取り付けられる蓋４９について説明する。蓋４９は、基板収容部３６の上方への開口を塞ぐ大きさの板状である。蓋４９の左右端部には、蓋側掛止部５０；５１が設けられる。基板収容部３６の左右壁には、収容側掛止部５２；５３が設けられる。そして、蓋側掛止部５１が基板収容部３６の側から収容側掛止部５３に挿入された後、蓋４９の左側部分が下方に人為的に閉じられると、蓋側掛止部５０が収容側掛止部５２に掛け止られ、蓋４９が基板収容部３６の上方への開口を閉じかつ基板収容部３６に開閉不能に支持されるので、基板収容部３６よりも上から落下する球が中継基板３９や配線４５乃至４７を直撃することがないという利点があるうえ、蓋４９の着脱作業も容易であるという利点がある。
【００２６】
図６を参照し、抜取機構４について説明する。抜取機構４は、抜取口部５５、抜取扉５６、カバー５７を備える。抜取口部５５の周囲におけるタンク２の底部には、閉係合部５８、開係合部５９、タンク側取付部６０を備える。抜取扉５６には、操作部６１、被係合部６２を備える。被係合部６２は、溝６３によって抜取扉５６に片持ち梁のように形成された弾性片の自由端に鉤部を備える。カバー５７には、抜取逃避部６４、操作逃避部６５、カバー側取付部６６が設けられる。
【００２７】
抜取機構４のタンク２への取付方について説明する。抜取扉５６がタンク２の底部とカバー５７との間に配置されるように、カバー５７がタンク２の底部に下方から被せられる。その後、タッピングスクリューのような止ねじ６７がカバー側取付部６６を経由してタンク側取付部６０に締結される。これによって、カバー５７がタンク２の底部に固定される。このようにカバー５７がタンク２の底部に固定された場合、抜取逃避部６４が抜取口部５５よりも下方で抜取口部５５の真下に位置し、操作部６１が操作逃避部６５を経由してカバー５７よりも下方に突出し、抜取扉５６がタンク２の底部とカバー５７との間に開閉方向に移動可能に配置される。
【００２８】
図７を参照し、抜取機構４の動作について説明する。図７のａ図に示すように、抜取扉５６が抜取口部５５を閉鎖した場合、閉係合部５８と被係合部６２とが互いに係わり合い、抜取扉５６が開く方向に移動しないように、抜取扉５６が閉鎖位置に保持されるので、球が抜取口部５５から落下することなくタンク２に適切に貯蔵されるという利点がある。抜取扉５６が閉鎖位置に保持された状態において、操作部６１が矢印Ｘ６で示す開方向に人為的に操作されると、被係合部６２が閉係合部５８から解放される。その後、図７のｂ図に示すように、開係合部５９と被係合部６２とが互いに係わり合い、抜取扉５６が閉じる方向に移動しないように、抜取扉５６が開放位置に保持されるので、球が抜取口部５５からタンク２の下方外部に適切に抜き取られるという利点がある。よって、球払出装置１の保守などのために、抜取機構４によりタンク２から球を容易に抜き取ることができる。
【００２９】
図８を参照し、球払出装置１を備えた遊技機としてパチンコ遊技機を例示して説明する。パチンコ遊技機は、遊技機枠７１の内部に図外の遊技盤を交換可能に取り付ける形態である。遊技機枠７１は、固定枠７２の前部に可動枠７３を開閉可能に備え、可動枠７３の前部に上扉７４および下扉７５を開閉可能に備える。固定枠７２は、遊技機設置設備に固定される外枠とも呼ばれる。遊技機設置設備は、パチンコ遊技機を設置する遊技店の島と呼ばれる設備である。可動枠７３は、遊技盤や図外の制御装置など遊技に必要な部品を取り付ける前枠とも呼ばれ、左側に位置するヒンジ７６を中心とし、固定枠７２の前で前方に開かれかつ後方に閉じられるように、片開き可能であって、盤設置構造体７７および発射機構７８を備える。盤設置構造体７７は遊技盤を装着するための部材である。発射機構７８は、盤設置構造体７７の下部前面に取り付けられる。
【００３０】
発射機構７８は、下扉７５が閉じられて可動枠７３に開閉不能に支持された場合、下扉７５で覆い隠される。可動枠７３には、球払出装置１、図外の施錠装置なども設けられる。上扉７４は、左側に位置するヒンジ７９を中心とし、可動枠７３の前で前方に開かれかつ後方に閉じられるように、片開き可能である。上扉７４には、窓８０および前面パネル８１が設けられる。窓８０は、前後方向への貫通孔として構成される。前面パネル８１は、窓８０を後から塞ぐ大きさのガラスまたは合成樹脂からなる光透過性の有る無色な板状に構成される。下扉７５には、受皿８２、発射操作機構８３、供給口８４、取入口８５が設けられる。
【００３１】
遊技盤が盤設置構造体７７に装着され、可動枠７３が閉じられて固定枠７２に開閉不能に支持され、上扉７４が閉じられて可動枠７３に開閉不能に支持されると、前面パネル８１と遊技盤の前面との間における図外のガイドレールで囲まれた部分が発射機構７８から発射された球の飛び交う遊技領域になる。ガイドレールは、上扉７４または前面パネル８１または遊技盤に設けられる。遊技領域は、遊技機枠７１の前から窓８０および前面パネル８１を通して視認可能になる。
【００３２】
そして、パチンコ球と呼ばれる球が受皿８２に入れられ、発射操作機構８３が人為的に操作されると、発射機構７８が受皿８２から供給口８４を経由して発射機構７８に取り込まれた球を発射操作機構８３の操作量に応じた発射力で１個ずつ遊技領域の上部に向けて発射する。遊技領域の上部に到達した球が、遊技領域を流下する過程において、遊技領域における図外の入賞部品に入賞すると、払出機構３が遊技者への賞球としての球を払い出す。払出機構３から払い出された球は、球通路８６から取入口８５を経由して受皿８２に払い出される。
【産業上の利用可能性】
【００３３】
図２において、払出機構３がタンク２の左端部に設けられ、タンク２の底面６が球を右から左に向けて流下させるというように、球を球入口１０に向けて流下させる斜面を構成してもよい。この場合、最良の形態における右を左と読み替えるとともに左を右と読み替えればよい。
【００３４】
図８において、遊技機はパチンコ遊技機に限定されるものではなくスロットマシンでもよい。つまり、遊技盤を図柄表示器に置換し、発射操作機構８３を球取込操作機構に置換し、球発射機構を球取込機構に置換し、遊技開始操作機構および図柄停止操作機構を上扉７４の前部または下扉７５の前部に設ければ、球払出装置１はスロットマシンにも適用できる。上扉７４と下扉７５とを前扉として一体に構成してもよい。
【図面の簡単な説明】
【００３５】
【図１】ａ図は球払出装置の要部の平面図、ｂ図はａ図のＡ−Ａ線断面図（最良の形態）。
【図２】球払出装置の全体的な平面図（最良の形態）。
【図３】ａ図は収容部の平面図、ｂ図はａ図のＢ−Ｂ線断面図、ｃ図はａ図のＣ−Ｃ線断面図（最良の形態）。
【図４】球払出装置の分解斜視図（最良の形態）。
【図５】タンクと蓋との分解斜視図（最良の形態）。
【図６】抜取機構の分解斜視図（最良の形態）。
【図７】ａ図は抜取機構の閉鎖断面図、ｂ図は抜取機構の開放断面図（最良の形態）。
【図８】パチンコ遊技機の遊技機枠の斜視図（最良の形態）。
【図９】ａ図は球払出装置の平面図、ｂ図はａ図のＤ−Ｄ線断面図（従来）。
【符号の説明】
【００３６】
１は球払出装置、２はタンク、３は払出機構、４は抜取機構、５は球切検出機構、６は底面、７は障壁、８は斜面、９は鉛直面、１０は球入口、１１は収容部、１２は球出口、１３は庇、１４は払出体、１５は払出モータ、１６は筐体、１７は払出軸、１８は螺旋体、１９はレバー検出器、２０は感知レバー、２１は錘、２２は軸、２３は被検出部、２４は欠番、２５；２６は障害突起、２７は欠番、２８はタンク側取付部、２９は払出挿入孔、３０はセンサ挿入孔、３１は軸受、３２は止ねじ、３３は筐体側取付部、３４は球検出器、３５は欠番、３６は基板収容部、３７は配線孔、３８は配線孔、３９は中継基板、４０乃至４４はコネクタ、４５乃至４７は配線、４８は欠番、４９は蓋、５０；５１は蓋側掛止部、５２；５３は収容側掛止部、５４は欠番、５５は抜取口部、５６は抜取扉、５７はカバー、５８は閉係合部、５９は開係合部、６０はタンク側取付部、６１は操作部、６２は被係合部、６３は溝、６４は抜取逃避部、６５は操作逃避部、６６はカバー側取付部、６７は止ねじ、６８乃至７０は欠番、７１は遊技機枠、７２は固定枠、７３は可動枠、７４は上扉、７５は下扉、７６はヒンジ、７７は盤設置構造体、７８は発射機構、７９はヒンジ、８０は窓、８１は前面パネル、８２は受皿、８３は発射操作機構、８４は供給口、８５は取入口、８６は球通路。
【図１】
2008245886.tif 000003
【図２】
2008245886.tif 000004
【図３】
2008245886.tif 000005
【図４】
2008245886.tif 000006
【図５】
2008245886.tif 000007
【図６】
2008245886.tif 000008
【図７】
2008245886.tif 000009
【図８】
2008245886.tif 000010
【図９】
2008245886.tif 000011